(57)【要約】【課題】遊技機を制御する情報を記憶してある記憶手段又は該記憶手段に記憶された情報に基づいて遊技機を制御する制御手段に対する不正行為を抑制する異常検出システム、制御手段及び遊技媒体排出装置を提供する。【解決手段】記憶手段を内蔵する制御手段の外部の装置に、通信手段及び記録手段を備える異常検出装置を設け、記憶手段及び／又は制御手段を特定する識別情報を一定周期又は随時というように任意のタイミングで異常検出装置へ送信し（Ｓ２２２）、異常検出装置では受信した識別情報を、前回受信して記録手段に記憶している識別情報と照合し（Ｓ２６３）、合致する場合（Ｓ２６４：Ｙ）、記憶手段を搭載した制御手段は正当であると判断して受信した識別情報を記録手段に記憶し、合致しない場合（Ｓ２６４：Ｎ）、記憶手段に不正が行われている可能性があると判断して異常処理を行う（Ｓ２６５）。【選択図】図４
2006075642.tif 000002
【特許請求の範囲】
【請求項１】
遊技機制御用の情報が記憶された記憶手段を搭載し、該記憶手段に記憶された情報に基づいて遊技機を制御する制御手段と、該制御手段が組み込まれた遊技機と、該遊技機に隣接し、該遊技機にて使用する遊技媒体を排出させる処理を行う遊技媒体排出装置とを備える遊技機の異常検出システムにおいて、
前記遊技機に関する正当性を検証する情報を記憶しているデータベースを有する管理装置と、
前記制御手段の外部に、該制御手段の異常を制御する異常検出装置と
を備え、
前記管理装置は、
暗号鍵を記憶する手段を備え、
前記異常検出装置は、
他の装置と通信を行う通信手段を備え、
前記遊技媒体排出装置は、
前記遊技機及び他の装置間の通信を中継する手段を備え、
前記記憶手段は、
自己を特定する記憶手段識別情報を記憶する手段を備え、
前記制御手段は、
前記記憶手段から記憶手段識別情報を読み取る手段と、
該記憶手段識別情報及び自己を特定する制御手段識別情報を記憶する手段と、
制御手段識別情報及び記憶手段識別情報を遊技媒体排出装置へ送信する手段を備え、
該遊技媒体排出装置は、
受信した制御手段識別情報及び記憶手段識別情報を、前記管理装置へ送信する手段を備え、
該管理装置は、
データベースを参照して、受信した制御手段識別情報及び記憶手段識別情報から、前記制御手段の正当性を確認する手段と、
正当であると確認した場合に、暗号鍵を前記遊技媒体排出装置へ送信する手段と
を備え、
該遊技媒体排出装置は、
受信した暗号鍵を記憶する手段と、
暗号鍵を前記制御手段へ送信する手段と
を備え、
該制御手段は、
受信した暗号鍵を記憶する手段と、
記憶手段識別情報及び制御手段識別情報を、前記遊技媒体排出装置を介して前記異常検出装置へ送信する手段と
を備え、
前記異常検出装置は、
受信した記憶手段識別情報及び制御手段識別情報を記憶する手段と、
受信した記憶手段識別情報及び制御手段識別情報を、以前に記憶した記憶手段識別情報及び制御手段識別情報と照合する照合手段と、
該照合手段により、受信した記憶手段識別情報及び制御手段識別情報、並びに以前に記憶した記憶手段識別情報及び制御手段識別情報が異なることが判明した場合に、予め定められている所定の処理を行う手段と
を備え、
暗号鍵を記憶後の制御手段及び遊技媒体排出装置間の通信は、暗号鍵を用いた暗号化及び復号を実施しながら行う
ことを特徴とする遊技機の異常検出システム。
【請求項２】
前記照合手段による照合は、任意の時点で行うべくなしてあることを特徴とする請求項１に記載の遊技機の異常検出システム。
【請求項３】
前記制御手段は、遊技機制御に関する異常を検出する検出手段を備えることを特徴とする請求項１又は請求項２に記載の遊技機の異常検出システム。
【請求項４】
遊技機に組み込まれるべくなしてあり、該遊技機制御用のプログラムが記憶された記憶手段を搭載し、該記憶手段に記憶されたプログラムを読み取り実行する制御手段において、
前記遊技機に隣接し、該遊技機にて使用する遊技媒体を排出させる処理を行う遊技媒体排出装置と通信する手段と、
前記記憶手段に記憶されている記憶手段識別情報を読み取る手段と、
該記憶手段識別情報及び自己を特定する制御手段識別情報を記憶する手段と、
記憶手段識別情報及び制御手段識別情報を、前記遊技媒体排出装置へ送信する手段と、
該遊技媒体排出装置から暗号鍵を受信する手段と、
受信した暗号鍵を記憶する手段と
を備え、
前記遊技媒体排出装置との通信は、暗号鍵を用いた暗号化及び復号化を実施しながら行う
ことを特徴とする制御手段。
【請求項５】
自己を特定する識別情報を記憶する制御手段を備える遊技機に隣接し、該遊技機にて使用する遊技媒体を排出させる処理を行う遊技媒体排出装置において、
前記識別情報に対応付けて、該識別情報にて特定される制御手段を備える遊技機に関する情報を記憶しているデータベースにアクセスする管理装置、及び遊技機と通信する手段と、
遊技機から識別情報を受信する手段と、
受信した識別情報を管理装置へ送信する手段と、
送信した識別情報が正当である場合に管理装置から送信される暗号鍵を受信する手段と、
受信した暗号鍵を遊技機へ送信する手段と、
識別情報及び暗号鍵を記憶する手段と、
暗号鍵により暗号化された識別情報を、遊技機から受信する手段と、
受信した識別情報を暗号鍵により復号化する手段と、
復号化した識別情報を記憶している識別情報と照合する手段と
を備えることを特徴とする遊技媒体排出装置。
【発明の詳細な説明】
【技術分野】
【０００１】
本発明はパチンコ機及びスロットマシン等の遊技機を制御するプログラムが記憶された記憶手段を搭載し、該記憶手段に記憶されたプログラムを実行する制御手段と、該制御手段が組み込まれた遊技機とを備え、前記制御手段の異常を検出する異常検出システム、並びに該異常検出システムに用いられる制御手段及び遊技媒体排出装置に関する。
【背景技術】
【０００２】
パチンコ店等の遊技店には、パチンコ機及びスロットマシン等の遊技機が複数台設置されており、遊技者は遊技機で使用するパチンコ玉及びメダル等の遊技媒体を借り入れ、該遊技媒体を元手に、手持ちの遊技媒体を増やすことを目的とする遊技を行う。
【０００３】
各遊技機には遊技を制御する制御基板が組み込まれ、該制御基板は遊技を制御するプログラムを記憶する記憶手段（以下ＲＯＭという）を搭載しており、遊技機で行われる遊技の制御は、ＲＯＭに記憶されたプログラムを制御基板が備えるＣＰＵにより実行することで行われる。
そしてＲＯＭに記憶されたプログラムは法規制に基づいて、遊技媒体の増やし易さ、即ち大当たり確率が決定されている。
【０００４】
このようなＲＯＭを搭載した制御基板が組み込まれた遊技機は、製造業者により製造され、遊技店に納入されるのであるが、納入後、不正にプログラムが書き換えられ、例えば大当たり確率が高くなるように設定された不正ＲＯＭと差し替えられるという違法行為が行われる場合がある。
また違法行為としては、不正ＲＯＭとの差し替えだけでなく、制御基板から遊技機内部の各種機器へ制御信号を伝える接続線（以下ハーネスという）の差し替え、ハーネスにぶら下げて大当たりを操作する電子部品（以下ぶら下がりという）の取り付け、並びにＲＯＭ及び制御基板等の各種機器を誤動作させる電磁波の利用（以下電磁波ゴトという）、及びそれによる遠隔操作等の様々な違法行為が行われている。
【０００５】
このような違法行為を摘発するためには、各遊技機に組み込まれた制御基板及び各種機器を検査しなければならないが、これには多大な作業量及び時間を必要とする。このため違法行為が行われているという確証が無ければ、納入後の制御基板を検査することは困難であり、違法行為の防止策としては不十分である。
【０００６】
そこでＲＯＭの異常及び各種違法行為を検出する不正検出手段を制御基板に組み込み、不正検出手段により異常が検出された場合に、異常の記録及び／又は当該遊技機を停止させる機能を制御基板に持たせておき、遊技機の開店前の通電開始時に異常検査を行う異常検出システムが用いられている。
【発明の開示】
【発明が解決しようとする課題】
【０００７】
しかしながら、従来の異常検出システムでは制御基板にて異常の検出を行うため、制御基板に不正が行われた上で、違法行為が行われた場合、例えば、不正ＲＯＭを備え該不正ＲＯＭの異常を検出しない制御基板に差し替えられた場合、又は不正検出手段が機能しない制御基板に差し替えられた上で、ハーネスの差し替え及びぶら下がりの取り付け等の違法行為が行われた場合には、異常を検出できないという問題がある。
【０００８】
また従来の異常検出システムでは、一般に開店前の通電開始時にのみ異常の検出を行うため、開店後違法行為を行い、閉店前に正規の状態に戻すという不正が行われた場合には、その発見が困難になる。
【０００９】
さらに従来の異常検出システムでは、例えば、特定の遊技者にのみ大当たりさせることを目的として違法行為を行うという、遊技店ぐるみでの不正が行われた場合、その不正の検出は困難であるという問題もある。
【００１０】
本発明は斯かる事情に鑑みてなされたものであり、制御基板及び遊技媒体排出装置に通信手段を設け、ＲＯＭを搭載した制御基板の異常を、遊技機外部に設置した異常検出装置にて検出することにより、制御基板に不正が行われた上で、違法行為が行われている場合にも、異常を検出することが可能な異常検出システム、制御手段、及び遊技媒体排出装置の提供を主たる目的とする。
【００１１】
さらに異常の検出を任意のタイミングで行うことにより、開店後違法行為を行い、閉店前に正規の状態に戻すという不正が行われる場合でも、異常を検出することが可能な異常検出システムの提供を他の目的とする。
【００１２】
またＲＯＭを搭載した制御基板を特定する識別情報を管理する管理装置を、遊技店外に設置することにより、店ぐるみで不正が行われた場合でも、その不正を検出することが可能な異常検出システムの提供を更に他の目的とする。
【課題を解決するための手段】
【００１３】
第１発明に係る遊技機の異常検出システムは、遊技機制御用の情報が記憶された記憶手段を搭載し、該記憶手段に記憶された情報に基づいて遊技機を制御する制御手段と、該制御手段が組み込まれた遊技機と、該遊技機に隣接し、該遊技機にて使用する遊技媒体を排出させる処理を行う遊技媒体排出装置とを備える遊技機の異常検出システムにおいて、前記遊技機に関する正当性を検証する情報を記憶しているデータベースを有する管理装置と、前記制御手段の外部に、該制御手段の異常を制御する異常検出装置とを備え、前記管理装置は、暗号鍵を記憶する手段を備え、前記異常検出装置は、他の装置と通信を行う通信手段を備え、前記遊技媒体排出装置は、前記遊技機及び他の装置間の通信を中継する手段を備え、前記記憶手段は、自己を特定する記憶手段識別情報を記憶する手段を備え、前記制御手段は、前記記憶手段から記憶手段識別情報を読み取る手段と、該記憶手段識別情報及び自己を特定する制御手段識別情報を記憶する手段と、制御手段識別情報及び記憶手段識別情報を遊技媒体排出装置へ送信する手段を備え、該遊技媒体排出装置は、受信した制御手段識別情報及び記憶手段識別情報を、前記管理装置へ送信する手段を備え、該管理装置は、データベースを参照して、受信した制御手段識別情報及び記憶手段識別情報から、前記制御手段の正当性を確認する手段と、正当であると確認した場合に、暗号鍵を前記遊技媒体排出装置へ送信する手段とを備え、該遊技媒体排出装置は、受信した暗号鍵を記憶する手段と、暗号鍵を前記制御手段へ送信する手段とを備え、該制御手段は、受信した暗号鍵を記憶する手段と、記憶手段識別情報及び制御手段識別情報を、前記遊技媒体排出装置を介して前記異常検出装置へ送信する手段とを備え、前記異常検出装置は、受信した記憶手段識別情報及び制御手段識別情報を記憶する手段と、受信した記憶手段識別情報及び制御手段識別情報を、以前に記憶した記憶手段識別情報及び制御手段識別情報と照合する照合手段と、該照合手段により、受信した記憶手段識別情報及び制御手段識別情報、並びに以前に記憶した記憶手段識別情報及び制御手段識別情報が異なることが判明した場合に、予め定められている所定の処理を行う手段とを備え、暗号鍵を記憶後の制御手段及び遊技媒体排出装置間の通信は、暗号鍵を用いた暗号化及び復号を実施しながら行うことを特徴とする。
【００１４】
第２発明に係る遊技機の異常検出システムは、第１発明において、前記照合手段による照合は、任意の時点で行うべくなしてあることを特徴とする。
【００１５】
第３発明に係る遊技機の異常検出システムは、第１発明又は第２発明において、前記制御手段は、遊技機制御に関する異常を検出する検出手段を備えることを特徴とする。
【００１６】
第４発明に係る制御手段は、遊技機に組み込まれるべくなしてあり、該遊技機制御用のプログラムが記憶された記憶手段を搭載し、該記憶手段に記憶されたプログラムを読み取り実行する制御手段において、前記遊技機に隣接し、該遊技機にて使用する遊技媒体を排出させる処理を行う遊技媒体排出装置と通信する手段と、前記記憶手段に記憶されている記憶手段識別情報を読み取る手段と、該記憶手段識別情報及び自己を特定する制御手段識別情報を記憶する手段と、記憶手段識別情報及び制御手段識別情報を、前記遊技媒体排出装置へ送信する手段と、該遊技媒体排出装置から暗号鍵を受信する手段と、受信した暗号鍵を記憶する手段とを備え、前記遊技媒体排出装置との通信は、暗号鍵を用いた暗号化及び復号化を実施しながら行うことを特徴とする。
【００１７】
第５発明に係る遊技媒体排出装置は、自己を特定する識別情報を記憶する制御手段を備える遊技機に隣接し、該遊技機にて使用する遊技媒体を排出させる処理を行う遊技媒体排出装置において、前記識別情報に対応付けて、該識別情報にて特定される制御手段を備える遊技機に関する情報を記憶しているデータベースにアクセスする管理装置、及び遊技機と通信する手段と、遊技機から識別情報を受信する手段と、受信した識別情報を管理装置へ送信する手段と、送信した識別情報が正当である場合に管理装置から送信される暗号鍵を受信する手段と、受信した暗号鍵を遊技機へ送信する手段と、識別情報及び暗号鍵を記憶する手段と、暗号鍵により暗号化された識別情報を、遊技機から受信する手段と、受信した識別情報を暗号鍵により復号化する手段と、復号化した識別情報を記憶している識別情報と照合する手段とを備えることを特徴とする。
【００１８】
本発明では、制御手段及び遊技媒体排出装置に通信手段を設け、取り外し及び差し替え等の交換が困難な制御手段外部の装置を異常検出装置として用い、制御手段から送信される識別情報を異常検出装置により照合することで、記憶手段及び制御手段の両方に不正が行われている場合でも異常を検出することが可能である。
【００１９】
本発明では、異常の検出を一定周期又は随時というように任意の時点で行うことにより、遊技機を備える遊技店の開店後、記憶手段を差し替えて閉店前に正規の記憶手段に戻すという不正が行われた場合でも、異常の検出をすることが可能である。
【００２０】
本発明では、遊技店での決済及び遊技等の遊技状況を管理する管理会社等の遊技店外の場所に管理装置を設置し、制御手段の識別情報を管理装置にて管理し、更に制御装置が組み込まれた遊技機を特定する遊技機識別情報等の遊技機に関する情報を取り込み、遊技機に関する情報及び照合用情報を対応付けて管理することにより、遊技店ぐるみで不正が行われた場合でも、管理装置にて遊技機に関する情報及び識別情報から記憶手段の正当性を確認することが可能である。
【００２１】
また管理装置にて不正状況を管理できるので、不正技術の動向、遊技機製造会社別、遊戯機器種別、時間帯別、及び地域別等の様々な角度から不正を把握及び分析することが可能になり、総合的な不正防止対策を検討することが可能になる。
【発明の効果】
【００２２】
本発明に係る異常検出システム、制御手段、及び遊技媒体排出装置では、遊技機に組み込まれた制御基板及び遊技媒体排出装置に送信手段を設け、取り外し及び差し替え等の交換が困難な遊技機外部の装置を異常検出装置として用い、制御基板から送信されるＲＯＭ−ＩＤ及び／又は制御基板ＩＤを異常検出装置により照合することで、ＲＯＭ及び制御手段の両方に不正が行われている場合でも異常を検出することが可能である等、優れた効果を奏する。
【００２３】
さらに本発明に係る異常検出システムでは異常の検出を一定周期又は随時というように任意のタイミングで行うことにより、遊技機を備える遊技店の閉店後、ＲＯＭを差し替えて閉店前に本来のＲＯＭに戻すという不正が行われた場合でも、異常の検出をすることが可能である等、優れた効果を奏する。
【００２４】
また本発明に係る異常検出システムでは、遊技店での決済及び遊技等の遊技状況を管理する管理会社等の遊技店外の場所に管理装置を設置し、ＲＯＭ−ＩＤ及び／又は制御基板ＩＤを管理装置にて管理することにより、遊技店ぐるみで不正が行われた場合でも、管理装置にてＲＯＭ−ＩＤ及び／又は制御基板ＩＤからＲＯＭを搭載した制御基板の正当性を確認することが可能である等、優れた効果を奏する。
【発明を実施するための最良の形態】
【００２５】
以下、本発明をその実施の形態を示す図面に基づいて詳述する。図１は本発明の異常検出システムにおける遊技機及び該遊技機に組み込まれる制御手段、並びにそれらに関する情報の流通形態を示す説明図である。図中１００は部品製造会社であり、部品製造会社１００では、パチンコ機及びスロットマシン等の遊技機を制御するプログラムを記憶するための記憶手段（以下ＲＯＭという）１０が製造される。
【００２６】
そしてＲＯＭ１０には、当該ＲＯＭ１０を特定するための記憶手段識別情報（以下ＲＯＭ−ＩＤという）が所定の領域に書き込まれ、更にＲＯＭ１０は、該ＲＯＭ１０に記録されたプログラムを実行するＣＰＵ等の部品が実装された制御部品２０に搭載され、また制御基板２０には、当該制御基板を特定するための制御手段識別情報（以下制御基板ＩＤという）が所定の領域に書き込まれる。
【００２７】
そして制御基板２０が、部品製造会社１００から部品販売会社２００へ配送されるとともに、ＲＯＭ−ＩＤ及び制御基板ＩＤを対応付けて記した識別情報一覧表（以下ＲＯＭ−ＩＤリストという）が、部品製造会社１００から部品販売会社２００へ配信される。
【００２８】
さらに部品販売会社２００から遊技機製造会社３００へ制御基板２０が配送される。その際、部品販売会社２００は遊技機製造会社３００へ配送した制御基板２０のＩＤリストを作成し、遊技店での決済及び遊技等の遊技状況を管理する管理会社４００へ配信する。
【００２９】
遊技機製造会社３００では、遊技プログラムを、配送された制御基板２０に搭載されたＲＯＭ１０の所定の領域に書き込み、更に制御基板２０を遊技機３０に組み込む。このときＲＯＭ−ＩＤが、遊技機３０を特定する遊技機識別情報（以下遊技機ＩＤ）として遊技機３０に付与される。
【００３０】
そして制御基板２０が組み込まれた遊技機３０が遊技機製造会社３００から遊技店５００へ配送され、配送される遊技機３０の機種名、ＲＯＭ−ＩＤ（遊技機ＩＤ）、及び制御基板ＩＤを対応づけて記した遊技機識別情報一覧表（以下遊技機ＩＤリストという）が遊技機製造会社３００から管理会社４００へ送信される。
【００３１】
管理会社４００では、各識別情報を管理する管理装置４０が備える識別情報管理データベース４０１に、部品販売会社２００から送信されたＲＯＭ−ＩＤリスト及び遊技機製造会社３００から送信された遊技機ＩＤリストを登録する。
【００３２】
次に、遊技店に設置された遊技機３０に組み込まれている制御基板２０に書き込まれた制御基板ＩＤ、制御基板２０に搭載されたＲＯＭ１０に書き込まれたＲＯＭ−ＩＤ（遊技機ＩＤ）、遊技店を特定する遊技店名コード、及び遊技機３０に接続される遊技媒体排出装置５０の設置場所を示す情報コードとが、通信回線を介して管理データベース４０１に登録される。
【００３３】
これによって、制御基板ＩＤ、ＲＯＭ−ＩＤ、遊技機ＩＤ、遊技機機種名、及び該遊技機が設置されている遊技店名等との対応関係が管理データベース４０１に登録される。こうすることにより、特定の遊技店の特定の場所に設置された遊技機は一義的に特定されることになり、ＲＯＭ１０及び制御基板２０が不正なものと取り替えられた場合、又は無許可で遊技台の入れ替えが行われた場合、すぐに異常情報として管理会社４００により把握される。
【００３４】
遊技店５００では、有価価値を付与された記憶媒体又は貨幣の挿入を受け付け、それに相当するパチンコ玉及びメダル等の遊技媒体を貸し出すべく排出させる遊技媒体排出装置５０に隣接させて、配送された遊技機３０を設置し、遊技店５００に来店した遊技者は、遊技媒体排出装置５０から遊技媒体を借り入れ、借り入れた遊技媒体に対応する遊技機３０にて遊技を行う。
【００３５】
なお上述の実施の形態では、部品製造会社１００にてＲＯＭ１０が組み込まれた制御基板２０を製造する形態を示したが、本発明はこれに限らず、部品製造会社１００にてＲＯＭ１０のみを製造し、遊技機製造会社３００にて制御基板２０に搭載するようにしてもよく、また遊技機ＩＤ及びＲＯＭ−ＩＤを異なる情報にしてもよい。
【００３６】
次に本発明の異常検出システムにおける各種装置の構成を図２に示すブロック図を用いて説明する。図中３０は遊技機であり、遊技機３０には、制御基板２０が組み込まれており、制御基板２０には、遊技機３０を制御する遊技プログラム及びＲＯＭ−ＩＤ等の情報が特定の領域に記憶されたＲＯＭ１０が搭載されており、ＲＯＭ１０から読み出したプログラムを、情報を記憶するＲＡＭ２２に記憶し、ＣＰＵ２１により実行することで、遊技機３０を制御する。
【００３７】
また制御基板２０は、制御基板ＩＤを記憶する制御手段識別情報記憶手段２３、記憶手段１０及び制御手段識別情報記憶手段２３から読み取ったＲＯＭ−ＩＤ及び制御基板ＩＤを記憶する識別情報記憶手段２４、不正ＲＯＭ、ハーネス差し替え、ぶら下がり、及び遠隔操作等の違法行為を検出する不正検出手段２５、並びに不正検出手段２５が検出した不正情報を記憶する不正記憶手段２６を備えている。さらに制御基板２０は遊技機３０外の装置と通信を行う通信手段２７を備え、高速度で情報を伝達する通信線７１の一端に接続されており、識別情報記憶手段２４及び不正記憶手段２６に記憶された情報を外部に送信することができる。なお通信手段２７は通信時の認証に用いる暗号鍵を記憶する暗号鍵記憶手段２７ａを備えている。
【００３８】
各遊技機３０に隣接して、遊技媒体排出装置５０が配設されており、遊技媒体排出装置５０は記憶媒体又は貨幣の挿入を受け付ける挿入部５２、及び遊技媒体を排出する排出部５３を備えている。さらに遊技媒体排出装置５０は、遊技媒体貸出及び通信に関するプログラム及びデータ等の情報を記憶するＲＯＭ５４を備え、ＲＯＭ５４に記憶された遊技媒体排出及び通信のプログラムを読み取り、情報を記憶するＲＡＭ５５に記憶して、ＣＰＵ５１により実行する。
【００３９】
また遊技媒体排出装置５０は、通信線７１の他端に接続する高速通信手段５６、及びＬＡＮ等の内部通信ネットワーク７２に接続する内部通信手段５７を備えている。高速通信手段５６は遊技媒体貸出に関する情報の通信の他に、異常検出信号及び各種識別情報等の情報を通信することが可能であり、そして内部通信手段５７も遊技媒体貸出に関する情報の通信の他に、異常検出信号及び各種識別情報等の情報を通信することが可能であるので、本発明の遊技媒体排出装置５０として用いられる。なお内部通信ネットワーク７２での通信方法としては、電気信号を伝達する有線通信に限らず、電波及び赤外線等の信号を用いた無線通信でもよい。
【００４０】
内部通信ネットワーク７２には、遊技店５００内外の通信を制御し、制御基板２０の異常を検出する異常検出装置６０が接続され、異常検出装置６０には、内部通信ネットワーク７２に接続する内部通信手段６２、及び電話回線等の外部通信ネットワーク７３に接続する外部通信手段６３を備え、さらに各種情報を表示する液晶モニタ等の表示手段６４、各種情報を印刷するプリンタ等の印刷手段６５、各種プログラム及びデータ等の情報を記憶するハードディスク等の記録手段６６、及び異常検出装置６０全体を制御するＣＰＵ６１を備えている。
【００４１】
外部通信ネットワーク７３には、管理会社４００に設置された管理装置４０が接続されており、管理装置４０は、外部通信ネットワークに接続する通信手段４２、各種プログラム及びデータ、並びに暗号鍵等の情報を記憶するハードディスクの記録手段４３、情報を記憶するＲＡＭ４４、並びに管理装置４０全体を制御するＣＰＵ４１を備えている。なお記録手段４３の記憶領域の一部は管理データベース４０１に割り当てられている。
【００４２】
次に本発明の異常検出システムにおける各種装置の処理をフローチャートを用いて説明する。図３は本発明の異常検出システムにおける遊技機変更時での制御基板２０、管理装置４０、及び遊技媒体排出装置５０の処理を示すフローチャートである。遊技店５００において、遊技機３０の新設、増設、及び移動等の変更があった場合、遊技機３０並びに組み込まれているＲＯＭ１０及び制御基板２０の正当性を確認すべく以下の処理が行われる。
【００４３】
制御基板２０では、ＲＯＭ１０からＲＯＭ−ＩＤを読み取り（Ｓ１２１）、識別情報記憶手段２４に記憶し、更に制御手段識別情報記憶手段２３から制御基板ＩＤを読み取り（Ｓ１２２）、識別情報記憶手段２４に記憶する。そして識別情報記憶手段２４に記憶したＲＯＭ−ＩＤ及び制御基板ＩＤを遊技媒体排出装置５０へ送信する（Ｓ１２３）。
【００４４】
遊技媒体排出装置５０では、ＲＯＭ−ＩＤ及び制御基板ＩＤを受信し（Ｓ１５１）、受信した各ＩＤを、異常検出装置６０を介して管理会社４００に設置された管理装置４０へ送信する（Ｓ１５２）。
【００４５】
管理装置４０では、ＲＯＭ−ＩＤ及び制御基板ＩＤを受信し（Ｓ１４１）、受信したＲＯＭ−ＩＤ及び制御基板ＩＤの組み合わせと、管理データベース４０１に記憶されている情報とを照合し（Ｓ１４２）、ＲＯＭ−ＩＤ及び制御基板ＩＤの組み合わせが正当であると確認された場合（Ｓ１４３：Ｙ）、記録手段４３に記憶している暗号鍵を異常検出装置６０を介して遊技媒体排出装置５０へ送信する（Ｓ１４４）。なおステップＳ１４３において、正当でないと判断した場合（Ｓ１４３：Ｎ）、相応の異常処理が行われる（Ｓ１４５）。
【００４６】
遊技媒体排出装置５０では、暗号鍵を受信し（Ｓ１５３）、受信した暗号鍵を、制御手段２０へ送信し（Ｓ１５４）、またＲＡＭ５５に記憶する（Ｓ１５５）。
【００４７】
制御手段２０では、暗号鍵を受信し（Ｓ１２４）、受信した暗号鍵を暗号鍵記憶手段２７ａに記憶する（Ｓ１２５）。
【００４８】
なお管理装置４０から遊技媒体排出装置５０及び制御手段２０への暗号鍵の送信は、遊技機３０に変更があった場合にのみ行われるが、ＲＯＭ−ＩＤ及び制御基板ＩＤを読み取り、管理装置４０にて行われる正当性確認処理は、必要に応じて行うことが可能である。
【００４９】
図４は本発明の異常検出システムにおける識別情報照合時での制御基板２０、遊技媒体排出装置５０、及び異常検出装置６０の処理を示すフローチャートである。
なお制御基板２０及び遊技媒体排出装置５０の間では、双方の暗号鍵を用いて暗号化／復号化を実施しながらでの通信が行われる。
【００５０】
制御基板２０では、識別情報記憶手段２４からＲＯＭ−ＩＤ及び制御基板ＩＤを読み取り（Ｓ２２１）、読み取ったＲＯＭ−ＩＤ及び制御基板ＩＤを遊技媒体排出装置５０へ送信する（Ｓ２２２）。なお識別情報記憶手段２４には、通信を行わない場合でも、ＲＯＭ１０及び制御手段識別情報記憶手段２３から読み取られたＲＯＭ−ＩＤ及び制御基板ＩＤの書き込みが行われているため、常に最新のＩＤが記憶されている。
【００５１】
遊技媒体排出装置５０では、ＲＯＭ−ＩＤ及び制御基板ＩＤを受信し（Ｓ２５１）、受信したＲＯＭ−ＩＤ及び制御基板ＩＤを異常検出装置６０へ送信する（Ｓ２５２）。
【００５２】
異常検出装置６０では、ＲＯＭ−ＩＤ及び制御基板ＩＤを受信し（Ｓ２６１）、前回受信し記録手段６６に記憶してあるＲＯＭ−ＩＤ及び制御基板ＩＤを読み取り（Ｓ２６２）、受信したＲＯＭ−ＩＤ及び制御基板ＩＤと、読み取ったＲＯＭ−ＩＤ及び制御基板ＩＤとを照合する（Ｓ２６３）。照合により受信したＲＯＭ−ＩＤ及び制御基板ＩＤと、読み取ったＲＯＭ−ＩＤ及び制御基板ＩＤとが合致する場合（Ｓ２６４：Ｙ）、ＲＯＭ１０及び制御基板２０は正当であると判断し、受信したＲＯＭ−ＩＤ及び制御基板ＩＤを、記録手段６６に記憶する（Ｓ２６５）。このとき既に記録手段６６に記憶されている以前のＲＯＭ−ＩＤ及び制御基板ＩＤは消去される。
【００５３】
ステップＳ２６３での照合により、受信したＲＯＭ−ＩＤ及び制御基板ＩＤと、読み出したＲＯＭ−ＩＤ及び制御基板ＩＤとが異なる場合（Ｓ２６４：Ｎ）、ＲＯＭ１０を搭載した制御基板２０に不正が行われている可能性があると判断し、所定の異常処理を行う（Ｓ２６６）。なお制御基板２０から遊技媒体排出装置５０へ送信された情報が、遊技媒体排出装置５０で正常に復号化されない場合も、ＲＯＭ１０を搭載した制御基板２０に不正が行われている可能性があると判断して、異常処理が行われる。
【００５４】
このような識別情報照合処理は一定間隔又は所定の時刻に行われるが、必要に応じて随時実施することが可能であり、異常検出装置６０は簡単に取り替えられないように配設されているため、異常検出装置６０の取り替えを行い、不正がおこなわれる可能性は非常に低いものとなっている。
【００５５】
またこのようなＩＤ照合処理は、遊技媒体排出装置５０が備えるＲＡＭ５５に各種ＩＤを記憶し、遊技媒体排出装置５０にて照合処理を行うことも可能であり、照合処理を行う遊技媒体排出装置５０を本発明の異常検出装置として用いることにより、高速な通信を利用して短い間隔で照合処理を行うことができるので、不正が行われる可能性をより一層低くすることが可能である。
【００５６】
さらにこのようなＩＤ照合処理は、管理装置４０までＲＯＭ−ＩＤ及び制御基板ＩＤを送信し、管理装置４０にて照合処理を行うことも可能である。即ち図５に示す本発明の異常検出システムにおける識別情報照合時での制御基板２０及び管理装置４０の処理のフローチャートのように、制御基板２０では、ＲＯＭ−ＩＤ及び制御基板ＩＤを読み取り（Ｓ３２１）、読み取ったＲＯＭ−ＩＤ及び制御基板ＩＤを遊技媒体排出装置５０及び異常検出装置６０を介して管理装置４０へ送信する（Ｓ３２２）。
【００５７】
管理装置４０では、ＲＯＭ−ＩＤ及び制御基板ＩＤを受信し（Ｓ３４１）、管理データベース４０１に記憶されている情報と、受信したＲＯＭ−ＩＤ及び制御基板ＩＤとを照合し（Ｓ３４２）、合致する場合、ＲＯＭ−ＩＤ及び制御基板ＩＤは正当であると判断し（Ｓ３４３：Ｙ）、識別情報照合処理を終了する。ステップＳ３４２での照合により、管理データベース４０１に記憶されている情報と、受信したＲＯＭ−ＩＤ及び／又は制御基板ＩＤとが合致しない場合、ＲＯＭ−ＩＤ及び／又は制御基板ＩＤは不正であると判断し（Ｓ３４３：Ｎ）、所定の異常処理を行う（Ｓ３４４）。このように管理装置４０にて照合処理を行う場合には、遊技店ぐるみで行われる不正を防止することが可能である。
【００５８】
図６は本発明の異常検出システムにおける異常処理時での制御基板２０、遊技媒体排出装置５０、及び異常検出装置６０の処理を示すフローチャートである。制御基板２０では、不正検出手段２５により常時又は所定の間隔で、不正ＲＯＭ、ハーネス差し替え、ぶら下がり、及び遠隔操作等の違法行為を検出しており、検出した不正情報を不正記憶手段２６に記憶している。そして不正記憶手段２６に不正情報が記憶されている場合、予め設定されているタイミングで不正情報を異常検出信号として遊技媒体排出装置５０へ送信する（Ｓ４２１）。
【００５９】
遊技媒体排出装置５０では、異常検出信号を受信し（Ｓ４５１）、受信した異常検出信号を異常検出装置６０へ送信する（Ｓ４５２）。
【００６０】
異常検出装置６０では、異常検出信号を受信した場合（Ｓ４６１）、又はステップＳ２６６及びＳ３４４のように不正が行われている可能性があると判断した場合、遊技媒体排出装置５０へ異常処理信号を送信し（Ｓ４６２）、更に異常状況を表示手段６４に表示し（Ｓ４６３）、印刷手段６５から印刷し（Ｓ４６４）、記録手段６６に記憶し（Ｓ４６５）、さらに異常状況を管理装置４０へ送信し（Ｓ４６６）、管理装置４０ではそれを記憶する。
【００６１】
遊技媒体排出装置５０では、異常処理信号を受信し（Ｓ４５３）、受信した異常処理信号を制御基板２０へ送信する（Ｓ４５４）。
【００６２】
制御基板２０では、異常処理信号を受信し（Ｓ４２２）、異常処理として当該遊技機３０を停止させる（Ｓ４２３）。
【００６３】
なお異常検出信号を制御基板２０から異常検出装置６０へ送信する処理は、１週間及び１ヶ月等の所定の期間毎に纏めて行ってもよく、また遊技媒体の排出状況より異常が行われている可能性があると判断される場合に行うようにしてもよく、さらに管理装置４０から処理依頼を受けた場合に行い、得られた情報を全て管理装置４０へ送信するようにしてもよい。
【００６４】
このようにＲＯＭ及び制御基板の正当性の確認を遊技機外の装置で行うことにより、ＲＯＭ及び／又は制御基板の差し替えによる不正の発生を抑制することができる。またその不正状況及び不正未遂状況を管理会社へ送信することにより、不正技術の動向、遊技機製造会社別の不正発生状況、遊技機の機種別の不正発生状況、発生時間帯別の不正発生状況、及び地域別の不正発生状況等の様々な角度からみた不正状況を把握及び分析することが可能になり、総合的な不正防止対策を行うことができる。
【００６５】
前記実施の形態では、制御装置又は遊技媒体排出装置を異常検出装置として用いる形態を示したが、本発明はこれに限らず、取り替えが困難な装置であればよいので、例えば遊技機自体を異常検出装置として用いる形態でもよい。
【００６６】
また前記実施の形態では、記憶手段識別情報及び制御手段識別情報の両方を照合することにより異常を検出する形態を示したが、本発明はこれに限らず、どちらか一方のみを照合することにより異常を検出する形態でもよい。
【図面の簡単な説明】
【００６７】
【図１】本発明の異常検出システムにおける遊技機及び該遊技機に組み込まれる制御手段、並びにそれらに関する情報の流通形態を示す説明図である。
【図２】本発明の異常検出システムにおける各種装置の構成を示すブロック図である。
【図３】本発明の異常検出システムにおける遊技機変更時での制御手段、管理装置、及び遊技媒体排出装置の処理を示すフローチャートである。
【図４】本発明の異常検出システムにおける識別情報照合時での制御手段、遊技媒体排出装置、及び異常検出装置の処理を示すフローチャートである。
【図５】本発明の異常検出システムにおける識別情報照合時での制御手段及び管理装置の処理を示すフローチャートである。
【図６】本発明の異常検出システムにおける異常処理時での制御手段、遊技媒体排出装置、及び異常検出装置の処理を示すフローチャートである。
【符号の説明】
【００６８】
１０  記憶手段（ＲＯＭ）
２０  制御手段（制御基板）
２７  通信手段
３０  遊技機
４０  管理装置
５０  遊技媒体排出装置
５７  高速通信手段
５８  内部通信手段
６０  異常検出装置（制御装置）
４０１  管理データベース
【図１】
2006075642.tif 000003
【図２】
2006075642.tif 000004
【図３】
2006075642.tif 000005
【図４】
2006075642.tif 000006
【図５】
2006075642.tif 000007
【図６】
2006075642.tif 000008